(57)【要約】【課題】従来の購買支援サイトは、どの商品を買うかを決めている人にとっては非常に有用であるが、どの商品が一番かを決めるためには、膨大な文字情報を読まなければならない。そこで労力を要せずに商品の詳細情報を得ることができ、会社ごとに比較検討できることを課題とする。また、セールスプロモーションイベントをより多くの人に、購買支援情報として見てもらえるようにすることを課題とする。【解決手段】ネットワークを介して、同一商品カテゴリに属する複数の広告主に関する、商品の動画広告及び商品の文字情報（以下、商品詳細情報と総称する）を、ユーザーに購買支援情報として提供することを特徴とする情報処理方法により、ユーザーは動画を見るだけで商品知識を得ることができる。商品詳細説明動画だけでなく、セールスプロモーションイベントを撮影し、編集したものも動画として、購買支援情報として見ることができる。【選択図】図１
2007272854.tif 000002
【特許請求の範囲】
【請求項１】
ネットワークを介して、同一商品カテゴリに属する複数の広告主に関する、商品の動画広告及び商品の文字情報を含む商品詳細情報を、ユーザーに購買支援情報として提供することを特徴とする情報処理システムであって、商品詳細情報を登録及び更新する広告情報取得手段と、複数の広告主に関する前記商品詳細情報を記憶する広告情報記憶手段と、ユーザーの入力条件に合致する複数の広告主の商品詳細情報を抽出する広告情報抽出手段と、前記ユーザーが所定の情報端末に入力した入力条件に合致する複数の広告主の商品詳細情報を抽出する広告情報抽出手段と、前記広告情報抽出手段より抽出された複数の広告主の商品詳細情報から、所定の商品詳細情報を、購買支援情報として、当該ユーザーに対し出力するユーザー対応手段とを備えた情報処理システム
【請求項２】
前記動画広告における動画像情報は、広告対象商品のあらゆる角度からの外観、色彩、質感、大きさ、重量感、広告対象商品の使用例など、広告対象商品の詳細情報であって、その詳細情報は少なくとも広告対象商品の使用例が含まれていることを特徴とする、請求項１に記載の情報処理システム
【請求項３】
前記動画広告における音声情報は、広告対象商品の機能、性能、特徴、他社商品に対するメリット、デメリット、使用方法など、広告対象商品の詳細情報であって、その詳細情報は少なくとも広告対象商品の使用方法の説明が含まれていることを特徴とする、請求項１に記載の情報処理システム
【請求項４】
前記文字情報は、動画広告において商品の詳細情報を理解したユーザーに対し、その理解を深めるために、再度、商品の詳細情報を一覧するための補完情報であることを特徴とする、請求項１に記載の情報処理システム
【請求項５】
前記ユーザーの入力条件は、ユーザーの年齢、性別など、広告主が広告を希望するターゲットの情報や、商品カテゴリ、メーカーなど、ユーザーが購入をしたいものを選定するために必要な情報であることを特徴とする、請求項１に記載の情報処理システム
【請求項６】
前記動画広告は、広告主の商品のセールスプロモーションイベントを撮影したものであることを特徴とする、請求項１に記載の情報処理システム
【発明の詳細な説明】
【技術分野】
【０００１】  この発明は、新しい購買支援および広告方法に関する。
【背景技術】
【０００２】  従来の購買支援のサイトといえば、価格などの比較サイトである。これらのサイトは、どの商品を買うかを決めている人にとっては非常に有用であり、最も安い商品を購入することができる。しかし、各会社の商品の詳細情報を得て、どの商品が一番かを決めるためには、膨大な文字情報を読まなければならず、非常に労力を要するという欠点を有する。【０００３】  また、従来のセールスプロモーションイベントは、イベント会場に訪れた人のみに見てもらうことを予定しており、イベントを見てもらえる数が少ないという欠点を有する。
【発明の開示】
【発明が解決しようとする課題】
【０００４】  本発明は、購入しようと思っている商品の詳細情報を、膨大な文字情報を読むような労力を要せずに得ることができるとともに、会社ごとに比較検討できることを課題とする。【０００５】  また、セールスプロモーションイベントをより多くの人に見てもらえるようにすることを課題とする。
【課題を解決するための手段】
【０００６】  上記課題を解決するために、第一発明は、ネットワークを介して、同一商品カテゴリに属する複数の広告主に関する、商品の動画広告及び商品の文字情報を含む商品詳細情報を、ユーザーに購買支援情報として提供することを特徴とする情報処理システムであって、商品詳細情報を登録及び更新する広告情報取得手段と、複数の広告主に関する前記商品詳細情報を記憶する広告情報記憶手段と、ユーザーの入力条件に合致する複数の広告主の商品詳細情報を抽出する広告情報抽出手段と、前記ユーザーが所定の情報端末に入力した入力条件に合致する複数の広告主の商品詳細情報を抽出する広告情報抽出手段と、前記広告情報抽出手段より抽出された複数の広告主の商品詳細情報から、所定の商品詳細情報を、購買支援情報として、当該ユーザーに対し出力するユーザー対応手段とを備える。【０００７】  また、第二発明は、請求項１に記載の発明において、前記動画広告における動画像情報は、広告対象商品のあらゆる角度からの外観、色彩、質感、大きさ、重量感、広告対象商品の使用例など、広告対象商品の詳細情報であって、その詳細情報は少なくとも広告対象商品の使用例が含まれていることを特徴とする。【０００８】  また、第三発明は、請求項１に記載の発明において、前記動画広告における音声情報は、広告対象商品の機能、性能、特徴、他社商品に対するメリット、デメリット、使用方法など、広告対象商品の詳細説明であって、その詳細情報は少なくとも広告対象商品の使用方法の説明が含まれていることを特徴とする。【０００９】  また、第四発明は、請求項１に記載の発明において、前記文字情報は、動画広告において商品の詳細情報を理解したユーザーに対し、その理解を深めるために、再度、商品の詳細情報を一覧するための補完情報であることを特徴とする。【００１０】  また、第五発明は、請求項１に記載の発明において、前記ユーザーの入力条件は、ユーザーの年齢、性別など、広告主が広告を希望するターゲットの情報や、商品カテゴリ、メーカーなど、ユーザーが購入をしたいものを選定するために必要な情報であることを特徴とする。【００１１】  また、第六発明は、請求項１に記載の発明において、前記動画広告は、広告主の商品のセールスプロモーションイベントを撮影したものであることを特徴とする。
【発明の効果】
【００１２】  第一発明によれば、購入しようと思っている商品の詳細情報を、膨大な文字情報を読むような労力を要せずに得ることができるとともに、会社ごとに比較検討できるため、購買支援効果が飛躍的にアップする。【００１３】  第二発明によれば、実際に販売店に行って、商品を見ているのと同じ効果が得られる。【００１４】  第三発明によれば、実際に販売店に行って、販売員の商品説明を聞くのと同じ効果が得られる。【００１５】  第四発明によれば、既に動画広告により商品知識を取得した人に対し、文字情報を提供することにより、労力を要せず読み進めることができる。【００１６】  第五発明によれば、ユーザーが年齢、性別を入力すると、広告主が広告をしたいターゲットに応じた商品詳細情報を提供できる。商品カテゴリ、メーカーを入力すると、ユーザーが購入をしたいものを選定することができる。【００１７】  第六発明によれば、イベント会場に訪れた人のみではなく、どの商品が一番かを決め、購入する商品を決定したい多くの人に購買支援情報として、イベントを動画で見てもらうことができる。
【発明を実施するための最良の形態】
【００１８】  この発明の一実施形態を、図１に示す。
ユーザーは、年齢、性別、商品カテゴリ、メーカーなどの条件を入力し、ユーザー端末２からインターネット１を介して情報処理システム３にアクセスすると、商品詳細情報記憶手段５及びイベント情報記憶手段６に記憶された商品詳細情報及びイベント情報の中から、その条件に合致した商品詳細情報及びイベント情報を抽出手段４により抽出し、ユーザーに提供する。これにより利用するユーザーの立場から言えば、商品詳細説明動画を見るだけで、実際に販売店に行って販売員の説明を受けたのと同じ効果を得ることができる。【００１９】  この発明を用いたビジネスモデルの活用例を図２に示す。
同一商品カテゴリの複数の広告主の、商品詳細説明動画を広告代理店を通して作成し、それをインターネットを介して、ユーザーに提供する。広告主はあらかじめ、自社の商品をどのような年齢層、性別のターゲットに広告をしたいかを登録しておき、ユーザーがユーザーの端末から入力した年齢や性別の条件に合致する商品の動画を抽出して、ユーザーに提供する。【００２０】  この発明を用いた購買支援サイトの例を図３に示す。
ユーザーは、年齢と性別を入力し、カテゴリを選択する。例えば２４歳、女性と入力し、ファッションカテゴリを選択すると、次画面において、２４歳の女性を対象としたジャケット、スカートなどの商品カテゴリに移る。例えばジャケットを選択すると、次画面においてジャケットを提供しているブランドの一覧に移り、ブランドをＡ社と特定すると、そのブランドＡのジャケットの商品詳細説明動画を見ることができる。ユーザーは、そのブランドＡのジャケットのあらゆる角度からの外観、色彩、質感、大きさ、重量感、ジャケットの使用例（コーディネートの仕方など）を動画で見ることができ、機能、性能、特徴、他社商品に対するメリット、デメリット、使用方法などを、膨大な文字情報を読むという労力なしで、理解することができる。さらにユーザーは、ブランドＢのジャケットの商品詳細情報も動画で見ることによって、ブランドＡとの比較が可能となる。このようにどの商品にすれば一番良いのかを決定することができるため、飛躍的に購買支援効果が上昇する。お店に行って、販売員の説明を聞き、実際に商品を見て回っているのと同じ効果が得られる。【００２１】  この発明を用いたイベント動画サイトの例を図４に示す。
ユーザーは、カテゴリの中から興味のあるカテゴリを選択する。例えば美容に興味のあるユーザーは、カテゴリの中からＢｅａｕｔｙを選択すると、美容に関するイベントを動画で見ることができる。皮膚科学、解剖生理学、美容理論等、脱毛・フェイシャル・ボディの知識に基づいた、美容に関するレクチャーや、肌理論に基づく素肌にやさしいコスメの紹介、健康で美しい素肌の整え方、気になるムダ毛をなくし、毛質・毛量・肌状態に合わせて、すべすべの素肌への導き方、細いだけでなく、胸と腰、ウエストにメリハリのある健康的なボディへの導き方などのレクチャーをしているイベントの動画を見ることによって、これらの美容に関する知識を得ることができる。このように従来イベント会場に訪れた人にしか見てもらうことができなかったイベントも、より多くの人に見てもらうことができる。
【図面の簡単な説明】
【００２２】
【図１】この発明の一実施形態を示す概念図である。
【図２】この発明に関するビジネスモデルの概念図である。
【図３】この発明に関する購買支援サイトの概念図である。
【図４】この発明に関するイベント動画サイトの概念図である。
【符号の説明】
【００２３】  １  インターネット  ２  ユーザー端末  ３  情報処理システム  ４  抽出手段  ５  商品詳細情報記憶手段  ６  イベント情報記憶手段  ７  広告主端末
【図１】
2007272854.tif 000003
【図２】
2007272854.tif 000004
【図３】
2007272854.tif 000005
【図４】
2007272854.tif 000006